(57)【特許請求の範囲】
【請求項１】
特定モードで取得されたコンテンツデータを記憶する記憶部と、
前記記憶部に記憶されたコンテンツデータを暗号化する暗号化部と、
前記特定モードでコンテンツデータが取得されると、認証時の認証情報に対応付けられた宛先アドレスを取得する取得部と、
前記取得部で取得した前記宛先アドレスの変更ができないように、前記宛先アドレスをメールの送信先に設定するとともに、前記暗号化部で暗号化されたコンテンツデータを添付したメールを作成する作成部と、
前記作成部で作成されたメールを前記宛先アドレスに送信する送信部と、
前記記憶部に記憶されたコンテンツデータ、及び前記送信部により送信されたメールの送信履歴を削除するように制御する制御部と、
を有し、
前記送信部は、
前記暗号化されたコンテンツデータを復号するためのパスワードを、前記メールとは異なるメールで前記宛先アドレスに送信し、
前記制御部は、
前記送信部による前記メール及び前記異なるメールの送信が完了した後、前記記憶部に記憶されたコンテンツデータ、及び前記送信部による送信履歴を削除する、ことを特徴とする携帯端末装置。
【請求項２】
前記制御部は、前記宛先アドレスを削除する、ことを特徴とする請求項１に記載の携帯端末装置。
【請求項３】
前記作成部は、
前記取得部で取得した前記宛先アドレスを表示画面に表示させずにメールの送信先に設定するとともに、前記暗号化部で暗号化されたコンテンツデータを添付したメールを作成する、ことを特徴とする請求項１又は２に記載の携帯端末装置。
【請求項４】
携帯端末装置に、
特定モードで取得されたコンテンツデータを記憶部に記憶させ、
前記記憶部に記憶されたコンテンツデータを暗号化し、
前記特定モードでコンテンツデータが取得されると、認証時の認証情報に対応付けられた宛先アドレスを取得し、
取得した前記宛先アドレスの変更ができないように、前記宛先アドレスをメールの送信先に設定するとともに、前記暗号化されたコンテンツデータを添付したメールを作成し、
作成されたメールを前記宛先アドレスに送信し、
前記記憶されたコンテンツデータ、及び前記送信されたメールの送信履歴を削除するように制御する、
処理を実行させ、
前記送信する処理は、
前記暗号化されたコンテンツデータを復号するためのパスワードを、前記メールとは異なるメールで前記宛先アドレスに送信し、
前記制御する処理は、
前記メール及び前記異なるメールの送信が完了した後、前記記憶部に記憶されたコンテンツデータ、及び前記送信履歴を削除する、ことを特徴とする制御プログラム。
【請求項５】
携帯端末装置が、
特定モードで取得されたコンテンツデータを記憶部に記憶させ、
前記記憶部に記憶されたコンテンツデータを暗号化し、
前記特定モードでコンテンツデータが取得されると、認証時の認証情報に対応付けられた宛先アドレスを取得し、
取得した前記宛先アドレスの変更ができないように、前記宛先アドレスをメールの送信先に設定するとともに、前記暗号化されたコンテンツデータを添付したメールを作成し、
作成されたメールを前記宛先アドレスに送信し、
前記記憶されたコンテンツデータ、及び前記送信されたメールの送信履歴を削除するように制御する、
処理を実行し、
前記送信する処理は、
前記暗号化されたコンテンツデータを復号するためのパスワードを、前記メールとは異なるメールで前記宛先アドレスに送信し、
前記制御する処理は、
前記メール及び前記異なるメールの送信が完了した後、前記記憶部に記憶されたコンテンツデータ、及び前記送信履歴を削除する、ことを特徴とする制御方法。
【発明の詳細な説明】
【技術分野】
【０００１】
本発明は、携帯端末装置、制御プログラム、及び制御方法に関する。
【背景技術】
【０００２】
近年、スマートフォンやタブレット端末等のスマートデバイスを利用して、業務を行う企業が増えている。例えば、会議においてホワイトボード等に記載した内容をスマートデバイスで撮影して、撮影した画像データを自己のＰＣ等にメールで送信することが行われている。
【０００３】
また、スマートフォン等の端末で撮影した画像データの漏えいを減少させるために、画像データを送信した後に、当該画像データを端末から削除する技術が従来から知られている（例えば特許文献１参照）。
【先行技術文献】
【特許文献】
【０００４】
【特許文献１】特開２０１３−２３９９０３号公報
【発明の概要】
【発明が解決しようとする課題】
【０００５】
しかしながら、上記の従来技術では、端末で撮影した画像データの漏えいが発生する場合がある。例えば、端末で撮影した画像データをメールで送信する際に、メールの送信先のアドレスをユーザが誤った宛先に設定してしまった場合、当該画像データが誤った宛先に送信されてしまう。
【０００６】
本発明は、コンテンツデータの漏えいを防止することを目的とする。
【課題を解決するための手段】
【０００７】
１つの態様では、携帯端末装置は、特定モードで取得されたコンテンツデータを記憶する記憶部と、前記記憶部に記憶されたコンテンツデータを暗号化する暗号化部と、前記特定モードでコンテンツデータが取得されると、認証時の認証情報に対応付けられた宛先アドレスを取得する取得部と、前記取得部で取得した前記宛先アドレスの変更ができないように、前記宛先アドレスをメールの送信先に設定するとともに、前記暗号化部で暗号化されたコンテンツデータを添付したメールを作成する作成部と、前記作成部で作成されたメールを前記宛先アドレスに送信する送信部と、前記記憶部に記憶されたコンテンツデータ、及び前記送信部により送信されたメールの送信履歴を削除するように制御する制御部と、を有し、前記送信部は、前記暗号化されたコンテンツデータを復号するためのパスワードを、前記メールとは異なるメールで前記宛先アドレスに送信し、前記制御部は、前記送信部による前記メール及び前記異なるメールの送信が完了した後、前記記憶部に記憶されたコンテンツデータ、及び前記送信部による送信履歴を削除する。
【発明の効果】
【０００８】
１つの側面として、コンテンツデータの漏えいを防止することができる。
【図面の簡単な説明】
【０００９】
【図１】第一の実施形態に係る画像送信システムの全体構成の一例を示す図である。
【図２】第一の実施形態に係る携帯端末装置及び管理サーバのハードウェア構成の一例を示す図である。
【図３】第一の実施形態に係る画像送信システムの機能構成の一例を示す図である。
【図４】ユーザ情報ＤＢの一例を示す図である。
【図５】第一の実施形態に係るログイン処理の一例のシーケンス図である。
【図６】ログイン画面の一例を示す図である。
【図７】メニュー画面の一例を示す図である。
【図８】第一の実施形態に係る画像送信処理の一例のシーケンス図である。
【図９】画像撮影画面の一例を示す図である。
【図１０】撮影完了画面の一例を示す図である。
【図１１】メール送信画面の一例を示す図である。
【図１２】第二の実施形態に係る画像送信システムの機能構成の一例を示す図である。
【図１３】第二の実施形態に係る画像送信処理の一例のシーケンス図である。
【発明を実施するための形態】
【００１０】
以下、本発明の実施形態について添付の図面を参照しながら説明する。
【００１１】
＜第一の実施形態＞
［システムの全体構成］
まず、第一の実施形態に係る画像送信システム１の全体構成について、図１を参照しながら説明する。図１は、第一の実施形態に係る画像送信システムの全体構成の一例を示す図である。
【００１２】
図１に示す画像送信システム１は、携帯端末装置１０と、管理サーバ２０とを有し、インターネット等のネットワークＮを介して通信可能に接続されている。また、画像送信システム１は、例えば顧客である企業や団体等における社内システム環境である顧客環境Ｅ１とネットワークＮを介して通信可能に接続されている。
【００１３】
顧客環境Ｅ１には、顧客である企業等の従業員等の電子メールの保存や電子メールアドレス等の管理、電子メールの送受信等の機能を有するメールサーバ３０が設置されている。ここで、以降では、「電子メール」を単に「メール」と表す。
【００１４】
なお、顧客環境Ｅ１には、メールサーバ３０の他に、例えば、従業員等が社内で利用するＰＣ端末等が設置されている。
【００１５】
携帯端末装置１０は、顧客である企業等の従業員等が利用するスマートフォン、携帯電話、タブレット端末、及びノート型ＰＣ等の各種の情報処理装置である。携帯端末装置１０には、当該携帯端末装置１０で撮影された画像データを顧客環境Ｅ１に設置されたメールサーバ３０にメールで送信するための画像送信プログラム４０がインストールされている。
【００１６】
本実施形態に係る携帯端末装置１０は、画像送信プログラム４０がインストールされることにより、メールサーバ３０で管理される自己のメールアドレスを変更できないように送信先に設定したメールに、撮影された画像データを添付して送信した後、当該画像データ等を携帯端末装置１０から削除する。これにより、本実施形態に係る携帯端末装置１０では、例えば、携帯端末装置１０の紛失や盗難、メールの誤送信等による画像データの漏えいを防止することができる。すなわち、例えば、社外の会議等においてホワイトボートに記載した内容を携帯端末装置１０で撮影するような場合等に、会議内容の漏えいを防止することができる。
【００１７】
管理サーバ２０は、画像送信システム１の認証機能等を有する情報処理装置である。管理サーバ２０には、携帯端末装置１０の認証やメールサーバ３０で管理されるメールアドレスの取得等を行うためのサーバプログラム５０がインストールされている。管理サーバ２０は、サーバプログラム５０がインストールされることにより、携帯端末装置１０からの要求に応じて、当該携帯端末装置１０の認証や、顧客環境Ｅ１に設置されたメールサーバ３０で管理されるメールアドレスを取得する。
【００１８】
なお、図１では、画像送信システム１が顧客環境Ｅ１と接続される例を示したが、画像送信システム１は、複数の顧客環境Ｅ１と接続されても良い。例えば、画像送信システム１は、顧客企業Ａの顧客環境Ｅ１、顧客企業Ｂの顧客環境Ｅ２、及び顧客企業Ｃの顧客環境Ｅ３等と接続されても良い。
【００１９】
［ハードウェア構成］
次に、第一の実施形態に係る携帯端末装置１０及び管理サーバ２０のハードウェア構成について、図２を参照しながら説明する。図２は、第一の実施形態に係る携帯端末装置及び管理サーバのハードウェア構成の一例を示す図である。
【００２０】
図２（ａ）に示すように、携帯端末装置１０は、入力装置１１、表示装置１２、外部Ｉ／Ｆ１３、ＲＡＭ（Random Access Memory）１４、及びＲＯＭ（Read Only Memory）１５を有する。また、携帯端末装置１０は、ＣＰＵ（Central Processing Unit）１６、通信Ｉ／Ｆ１７、記憶装置１８、及びカメラ装置１９を有する。これら各ハードウェアは、それぞれがバスＢ１で相互に接続されている。
【００２１】
入力装置１１は、タッチパネルや各種ボタン、キーボードやマウス等を含み、携帯端末装置１０に各種の操作信号を入力するのに用いられる。表示装置１２は、ディスプレイ等を含み、各種の処理結果を表示する。
【００２２】
外部Ｉ／Ｆ１３は、外部装置とのインタフェースである。外部装置には、記録媒体１３ａ等がある。これにより、携帯端末装置１０は、外部Ｉ／Ｆ１３を介して記録媒体１３ａの読み取り及び／又は書き込みを行うことができる。記録媒体１３ａには、例えば、ＳＤメモリカード(SD memory card）、ＵＳＢメモリ（Universal Serial Bus memory）等がある。
【００２３】
ＲＡＭ１４は、プログラムやデータを一時保持する揮発性の半導体メモリである。ＲＯＭ１５は、電源を切ってもデータ保持することができる不揮発性の半導体メモリである。ＣＰＵ１６は、例えば記憶装置１８やＲＯＭ１５等からプログラムやデータをＲＡＭ１４上に読み出し、各種処理を実行する演算装置である。
【００２４】
通信Ｉ／Ｆ１７は、携帯端末装置１０をネットワークＮに接続するためのインタフェースである。これにより、携帯端末装置１０は、管理サーバ２０と通信を行うことができる。
【００２５】
記憶装置１８は、プログラムやデータを格納している書き込み可能な不揮発性のメモリであり、例えばフラッシュメモリ等である。記憶装置１８に格納されるプログラムやデータには、携帯端末装置１０の全体を制御する基本ソフトウェアであるＯＳ（Operating System）やＯＳ上で動作する各種プログラム（例えば、画像送信プログラム４０）等がある。
【００２６】
カメラ装置１９は、画像を撮影して画像データを生成する。なお、以降では、カメラ装置１９により撮影される画像は、静止画であるものとして説明するが、これに限られず、動画であっても良い。すなわち、カメラ装置１９により生成されるデータは、静止画の画像データに限られず、動画データであっても良い。
【００２７】
また、カメラ装置１９により生成されたデータは、携帯端末装置１０に搭載されたＯＳからの指定により、記録媒体１３ａ、ＲＡＭ１４、又は記憶装置１８に格納される。なお、以降では、カメラ装置１９により生成されたデータ（画像データ）は、記憶装置１８に格納されるものとして説明する。
【００２８】
本実施形態に係る携帯端末装置１０は、図２（ａ）に示すハードウェア構成により、後述する各種処理が実現される。
【００２９】
また、図２（ｂ）に示すように、管理サーバ２０は、入力装置２１、表示装置２２、外部Ｉ／Ｆ２３、及びＲＡＭ２４を有する。また、管理サーバ２０は、ＲＯＭ２５、ＣＰＵ２６、通信Ｉ／Ｆ２７、及び記憶装置２８を有する。これら各ハードウェアは、それぞれがバスＢ２で相互に接続されている。
【００３０】
入力装置２１は、キーボードやマウス等を含み、管理サーバ２０に各種の操作信号を入力するのに用いられる。表示装置２２は、ディスプレイ等を含み、各種の処理結果を表示する。なお、入力装置２１及び／又は表示装置２２は、必要なときにバスＢ２に接続して利用する形態であっても良い。
【００３１】
外部Ｉ／Ｆ２３は、外部装置とのインタフェースである。外部装置には、記録媒体２３ａ等がある。これにより、管理サーバ２０は、外部Ｉ／Ｆ２３を介して記録媒体２３ａの読み取り及び／又は書き込みを行うことができる。記録媒体２３ａには、例えば、ＳＤメモリカード、ＵＳＢメモリ等がある。
【００３２】
ＲＡＭ２４は、プログラムやデータを一時保持する揮発性の半導体メモリである。ＲＯＭ２５は、電源を切ってもデータ保持することができる不揮発性の半導体メモリである。ＣＰＵ２６は、例えば記憶装置２８やＲＯＭ２５等からプログラムやデータをＲＡＭ２４上に読み出し、各種処理を実行する演算装置である。
【００３３】
通信Ｉ／Ｆ２７は、管理サーバ２０をネットワークＮに接続するためのインタフェースである。これにより、管理サーバ２０は、携帯端末装置１０やメールサーバ３０と通信を行うことができる。
【００３４】
記憶装置２８は、プログラムやデータを格納している書き込み可能な不揮発性のメモリであり、例えばＨＤＤ（Hard Disk Drive）やＳＳＤ（Solid State Drive）等である。記憶装置２８に格納されるプログラムやデータには、管理サーバ２０の全体を制御する基本ソフトウェアであるＯＳやＯＳ上で動作する各種プログラム（例えば、サーバプログラム５０）等がある。
【００３５】
本実施形態に係る管理サーバ２０は、図２（ｂ）に示すハードウェア構成により、後述する各種処理が実現される。
【００３６】
［機能構成］
次に、第一の実施形態に係る画像送信システム１の機能構成について、図３を参照しながら説明する。図３は、第一の実施形態に係る画像送信システムの機能構成の一例を示す図である。
【００３７】
携帯端末装置１０は、入力受付部１０１、ログイン要求部１０２、表示制御部１０３、撮影制御部１０４、アドレス取得部１０５、メール作成部１０６、メール送信部１０７、及びデータ削除部１０８を有する。これら各部は、携帯端末装置１０にインストールされた画像送信プログラム４０が、ＣＰＵ１６に実行させる処理により実現される。
【００３８】
また、携帯端末装置１０は、一時記憶部１０９及び送信履歴記憶部１１０を利用する。これら各記憶部は、記憶装置１８を用いて実現可能である。
【００３９】
入力受付部１０１は、ユーザによる各種の入力操作を受け付ける。例えば、入力受付部１０１は、画像送信システム１を利用するためのユーザからのログイン操作を受け付ける。
【００４０】
ログイン要求部１０２は、入力受付部１０１により受け付けられたログイン操作に応じて、管理サーバ２０に対してログイン要求を送信する。
【００４１】
表示制御部１０３は、各種画面を表示装置１２に表示させる。例えば、表示制御部１０３は、ユーザがログイン操作を行うためのログイン画面を表示装置１２に表示させる。また、例えば、表示制御部１０３は、メール作成部１０６により作成されたメールを送信するためのメール送信画面を表示装置１２に表示させる。
【００４２】
撮影制御部１０４は、カメラ装置１９を制御して、カメラ装置１９により撮影された画像の画像データを生成する。なお、撮影制御部１０４は、生成した画像データを一時記憶部１０９に格納する。
【００４３】
アドレス取得部１０５は、撮影制御部１０４により生成された画像データの送信先のメールアドレスとなる宛先アドレスデータを取得する。すなわち、アドレス取得部１０５は、宛先アドレスデータの取得要求を管理サーバ２０に送信して、当該管理サーバ２０を介して、メールサーバ３０で管理される自己（携帯端末装置１０のユーザ）のメールアドレスを示す宛先アドレスデータを取得する。なお、アドレス取得部１０５は、取得した宛先アドレスデータを一時記憶部１０９に格納する。
【００４４】
メール作成部１０６は、撮影制御部１０４により生成された画像データが添付され、アドレス取得部１０５により取得された宛先アドレスデータにより示されるメールアドレスが送信先アドレスとして設定されたメールを作成する。このとき、メール作成部１０６は、送信先アドレスとして設定されたメールアドレスを表示画面に表示させずに当該メールを作成する。
【００４５】
このように、本実施形態に係る携帯端末装置１０は、アドレス取得部１０５により取得された宛先アドレスデータにより示されるメールアドレスをメールの送信先として設定する。しかも、メールの送信先として設定されたメールアドレスを表示画面に表示させない。これにより、例えば、ユーザが送信先のメールアドレスを誤って設定した結果、誤ったメールアドレス宛にメールが誤送信されることによる画像データ等の漏えいを防止することができる。
【００４６】
さらに、本実施形態に係る携帯端末装置１０は、メールの送信先として設定されたメールアドレスを表示画面に表示させないため、設定されたメールアドレスをユーザが変更（メールアドレスの修正や追加）することができない。これにより、上記と同様に、メールが誤送信されることによる画像データ等の漏えいを防止することができる。
【００４７】
メール送信部１０７は、入力受付部１０１により受け付けられたユーザからのメールの送信操作に応じて、メール作成部１０６により作成されたメールを管理サーバ２０に送信する。なお、メール送信部１０７は、メールの送信が完了すると、当該メールの送信履歴を示す送信履歴データを送信履歴記憶部１１０に格納する。
【００４８】
これにより、携帯端末装置１０のユーザは、例えば、顧客環境Ｅ１に設置されたＰＣ端末等を用いて、自己のメールアドレスに送信された画像データを利用することができる。
【００４９】
データ削除部１０８は、メール送信部１０７によりメールの送信が完了すると、当該メールの宛先アドレスデータ及び添付されていた画像データを一時記憶部１０９から削除するとともに、当該メールの送信履歴データを送信履歴記憶部１１０から削除する。
【００５０】
このように、本実施形態に係る携帯端末装置１０は、画像データが添付されたメールを送信した後、当該画像データや宛先アドレスデータ、当該メールの送信履歴データを削除する。これにより、例えば、携帯端末装置１０が紛失や盗難された場合であっても、画像データ等の漏えいを防止することができる。
【００５１】
一時記憶部１０９は、データを一時的に記憶する。一時記憶部１０９に記憶されるデータには、撮影制御部１０４により生成された画像データ、及びアドレス取得部１０５により取得された宛先アドレスデータがある。
【００５２】
送信履歴記憶部１１０は、メール送信部１０７により送信されたメールの送信履歴データを記憶する。
【００５３】
次に、管理サーバ２０は、ログイン認証部２０１、変換部２０２、及びメール送信部２０３を有する。これら各部は、管理サーバ２０にインストールされたサーバプログラム５０が、ＣＰＵ２６に実行させる処理により実現される。
【００５４】
また、管理サーバ２０は、ユーザ情報データベース（以降、「ユーザ情報ＤＢ」と表す）２０４を利用する。当該ＤＢは、記憶装置２８、又は管理サーバ２０にネットワークＮを介して接続される記憶装置等を用いて実現可能である。
【００５５】
ログイン認証部２０１は、携帯端末装置１０からのログイン要求に応じて、ユーザ情報ＤＢ２０４を参照して、ログイン認証を行う。すなわち、ログイン認証部２０１は、ログイン認証に含まれるログインＩＤ及びログインパスワードの組が、ユーザ情報ＤＢ２０４に存在するか否かを判定することにより、ログイン認証を行う。
【００５６】
なお、ログインＩＤ及びログインパスワードとは、ユーザが携帯端末装置１０を用いて画像送信システム１にログインするための認証情報である。
【００５７】
変換部２０２は、携帯端末装置１０からの宛先アドレスデータの取得要求に含まれるログインＩＤ及びログインパスワードを変換する。すなわち、変換部２０２は、宛先アドレスデータの取得要求に含まれるログインＩＤ及びログインパスワードを、ユーザ情報ＤＢ２０４において当該ログインＩＤ及びログインパスワードに対応付けられたメールアカウント及びメールパスワードに変換する。
【００５８】
これにより、本実施形態に係る携帯端末装置１０は、管理サーバ２０で変換されたメールアカウント及びメールパスワードに対応する自己のメールアドレスをメールサーバ３０から取得することができる。
【００５９】
メール送信部２０３は、携帯端末装置１０からメールを受信すると、当該メールの送信先として設定されたメールアドレスに基づいて、顧客環境Ｅ１に設置されたメールサーバ３０に当該メールを送信する。
【００６０】
ユーザ情報ＤＢ２０４は、ユーザ情報を管理するデータベースである。ここで、ユーザ情報ＤＢ２０４について、図４を参照しながら説明する。図４は、ユーザ情報ＤＢの一例を示す図である。
【００６１】
図４に示すように、ユーザ情報ＤＢ２０４は、データ項目として、ログインＩＤ、ログインパスワード、メールアカウント、及びメールパスワードを有する。換言すれば、ユーザ情報ＤＢ２０４は、ログインＩＤ及びログインパスワードの組と、メールアカウント及びメールパスワードの組とが対応付けられて管理されている。
【００６２】
ログインＩＤは、画像送信システム１において携帯端末装置１０のユーザを一意に識別する識別情報である。ログインパスワードは、ログインＩＤに対応するパスワードである。上述したように、ログインＩＤ及びログインパスワードは、携帯端末装置１０のユーザが画像送信システム１にログインするための認証情報である。
【００６３】
メールアカウントは、顧客環境Ｅ１に設置されたメールサーバ３０における、携帯端末装置１０のユーザのアカウントである。メールパスワードは、メールアカウントに対応するパスワードである。
【００６４】
以上のように、ユーザ情報ＤＢ２０４には、携帯端末装置１０のユーザが画像送信システム１を利用するためのログインＩＤ及びログインパスワードと、メールサーバ３０における当該ユーザのメールアカウント及びメールパスワードとが対応付けられている。
【００６５】
［処理の詳細］
以降では、第一の実施形態に係る画像送信システム１の処理の詳細について説明する。
【００６６】
まず、携帯端末装置１０のユーザＵが画像送信システム１にログインする処理について、図５を参照しながら説明する。図５は、第一の実施形態に係るログイン処理の一例のシーケンス図である。
【００６７】
ユーザＵは、携帯端末装置１０を用いて、画像送信システム１にログインを開始するための操作を行う（ステップＳ５０１）。これは、例えば、ユーザＵが携帯端末装置１０を操作して、画像送信プログラム４０を起動させることにより行うことができる。
【００６８】
携帯端末装置１０の表示制御部１０３は、例えば図６に示すようなログイン画面１１００を表示装置１２に表示させる（ステップＳ５０２）。図６は、ログイン画面の一例を示す図である。図６に示すログイン画面１１００には、ログインＩＤ入力欄１１０１、ログインパスワード入力欄１１０２、及びログインボタン１１０３が含まれる。
【００６９】
ユーザＵは、ログイン画面１１００のログインＩＤ入力欄１１０１及びログインパスワード入力欄１１０２に、それぞれログインＩＤ及びログインパスワードを入力した上で、ログインボタン１１０３を押下して、ログイン操作を行う（ステップＳ５０３）。すると、携帯端末装置１０の入力受付部１０１は、ユーザＵにより行われた当該ログイン操作を受け付ける。
【００７０】
携帯端末装置１０のログイン要求部１０２は、入力受付部１０１によりログイン操作が受け付けられると、管理サーバ２０に対してログイン要求を送信する（ステップＳ５０４）。ここで、ログイン要求には、ステップＳ５０３でログインＩＤ入力欄１１０１に入力されたログインＩＤ、及びログインパスワード入力欄１１０２に入力されたログインパスワードが含まれる。
【００７１】
管理サーバ２０のログイン認証部２０１は、携帯端末装置１０からログイン要求を受信すると、ユーザ情報ＤＢ２０４を参照して、ログイン認証を行う（ステップＳ５０５）。すなわち、ログイン認証部２０１は、受信したログイン要求に含まれるログインＩＤ及びログインパスワードの組が、ユーザ情報ＤＢ２０４に存在するか否かを判定する。
【００７２】
そして、管理サーバ２０のログイン認証部２０１は、ステップＳ５０５での判定結果に応じて、認証結果を携帯端末装置１０に送信する（ステップＳ５０６）。すなわち、ログイン認証部２０１は、ログイン要求に含まれるログインＩＤ及びログインパスワードの組が、ユーザ情報ＤＢ２０４に存在すると判定された場合、認証成功を示す認証結果を携帯端末装置１０に送信する。一方で、ログイン認証部２０１は、ログイン要求に含まれるログインＩＤ及びログインパスワードの組が、ユーザ情報ＤＢ２０４に存在しないと判定された場合、認証失敗を示す認証結果を携帯端末装置１０に送信する。
【００７３】
以降では、ステップＳ５０６において、管理サーバ２０のログイン認証部２０１は、認証成功を示す認証結果を携帯端末装置１０に送信したものとして説明する。
【００７４】
携帯端末装置１０の表示制御部１０３は、管理サーバ２０から認証結果を受信すると、例えば図７に示すようなメニュー画面１２００を表示装置１２に表示させる（ステップＳ５０７）。図７は、メニュー画面の一例を示す図である。図７に示すメニュー画面１２００には、メール閲覧１２０１、画像撮影１２０２、スケジュール１２０３等の各種メニューが含まれる。
【００７５】
以上のように、ユーザＵが画像送信システム１にログインすると、携帯端末装置１０には、メニュー画面１２００が表示される。メニュー画面１２００には、例えば、Ｗｅｂメール等のメールを閲覧するためのメール閲覧１２０１、画像撮影してメール送信するための画像撮影１２０２、登録されたスケジュールを確認等するためのスケジュール１２０３等の各種メニューが表示される。このように、メニュー画面１２００には、画像送信プログラム４０を含む各種プログラムにより実現される機能の一覧が表示される。
【００７６】
次に、ユーザＵがメニュー画面１２００において、画像撮影１２０２を選択する場合の処理について、図８を参照しながら説明する。図８は、第一の実施形態に係る画像送信処理の一例のシーケンス図である。
【００７７】
ユーザＵは、携帯端末装置１０の表示装置１２に表示されたメニュー画面１２００において、画像撮影１２０２を選択する操作を行う（ステップＳ８０１）。すると、携帯端末装置１０の入力受付部１０１は、当該選択操作を受け付ける。
【００７８】
携帯端末装置１０の撮影制御部１０４は、入力受付部１０１により当該選択操作を受け付けると、カメラ装置１９を起動して画像撮影モードを開始させ、表示制御部１０３により、図９に示すような画像撮影画面１３００を表示させる（ステップＳ８０２）。図９は、画像撮影画面の一例を示す図である。
【００７９】
図９に示す画像撮影画面１３００は、カメラ装置１９で画像の撮影を行うための画面である。ユーザＵは、画像撮影画面１３００の撮影範囲１３０１に撮影対象を表示させた状態で、撮影ボタン１３０２を押下することで、撮影範囲１３０１に表示された撮影対象をカメラ装置１９で撮影することができる。
【００８０】
ここで、画像撮影モードとは、本実施形態に係る画像送信処理を実現する撮影モード（カメラ装置１９で撮影可能な状態）のことである。画像撮影モードで撮影された画像の画像データは、後述するように所定の宛先アドレスにメール送信された後に携帯端末装置１０から削除される。なお、携帯端末装置１０は、画像撮影モードの外に、例えば、動画データを撮影するための動画撮影モード、音声データを取得するための音声収集モード等の各種のモードがあっても良い。
【００８１】
ユーザＵは、携帯端末装置１０の表示装置１２に表示された画像撮影画面１３００において、撮影ボタン１３０２を押下して、画像の撮影操作を行う（ステップＳ８０３）。すると、携帯端末装置１０の入力受付部１０１は、当該撮影操作を受け付ける。
【００８２】
携帯端末装置１０の撮影制御部１０４は、入力受付部１０１により当該撮影操作を受け付けると、カメラ装置１９を制御して撮影範囲１３０１内の画像を撮影して、画像データを生成する。そして、撮影制御部１０４は、生成した画像データを一時記憶部１０９に格納する（ステップＳ８０４）。
【００８３】
なお、携帯端末装置１０の表示制御部１０３は、撮影制御部１０４により画像データが一時記憶部１０９に格納されると、図１０に示すような撮影完了画面１４００を表示させても良い。図１０は、撮影完了画面の一例を示す図である。図１０に示す撮影完了画面１４００には、続けて撮影を行うか否かを選択するための「いいえ」ボタン１４０１及び「はい」ボタン１４０２が含まれる。
【００８４】
携帯端末装置１０は、ユーザＵにより撮影完了画面１４００において「いいえ」ボタン１４０１が選択された場合、次のステップＳ８０５進む。一方で、携帯端末装置１０は、ユーザＵにより撮影完了画面１４００において「はい」ボタン１４０２が選択された場合、ステップＳ８０２に戻り、撮影制御部１０４により、再度、画像撮影モードを開始させる。これにより、ユーザＵは、複数の画像を撮影することができる。したがって、後述する処理において、携帯端末装置１０は、撮影された複数の画像データを所定の宛先アドレスにメール送信することができる。
【００８５】
次に、携帯端末装置１０のアドレス取得部１０５は、撮影制御部１０４により画像データが一時記憶部１０９に格納されると、当該画像データの送信先メールアドレスとなる宛先アドレスデータの取得要求を管理サーバ２０に送信する（ステップＳ８０５）。ここで、宛先アドレスデータの取得要求には、ユーザＵのログインＩＤ及びログインパスワードが含まれる。
【００８６】
管理サーバ２０の変換部２０２は、宛先アドレスデータの取得要求を受信すると、ユーザ情報ＤＢ２０４を参照して、当該取得要求に含まれるログインＩＤ及びログインパスワードを、メールアカウント及びメールパスワードに変換する（ステップＳ８０６）。すなわち、変換部２０２は、宛先アドレスデータの取得要求に含まれるログインＩＤ及びログインパスワードを、ユーザ情報ＤＢ２０４において当該ログインＩＤ及びログインパスワードに対応付けられたメールアカウント及びメールパスワードに変換する。
【００８７】
このように、管理サーバ２０は、画像送信システム１におけるユーザＵのログインＩＤ及びログインパスワードを、顧客環境Ｅ１に設置されたメールサーバ３０におけるユーザＵのメールアカウント及びメールパスワードに変換する。これにより、ユーザＵの携帯端末装置１０は、管理サーバ２０を介して、メールサーバ３０で管理されるユーザＵのメールアドレスを宛先アドレスデータとして取得することができる。
【００８８】
次に、管理サーバ２０の変換部２０２は、メールアカウント及びメールパスワードが含まれる宛先アドレスデータの取得要求をメールサーバ３０に送信する（ステップＳ８０７）。
【００８９】
メールサーバ３０は、宛先アドレスデータの取得要求を受信すると、当該取得要求に含まれるメールアカウント及びメールパスワードに基づいて当該メールアカウントに対応するメールアドレスを宛先アドレスデータとして返信する（ステップＳ８０８）。
【００９０】
管理サーバ２０の変換部２０２は、メールサーバ３０から宛先アドレスデータが返信されると、当該宛先アドレスデータを携帯端末装置１０に送信（転送）する（ステップＳ８０９）。
【００９１】
携帯端末装置１０のアドレス取得部１０５は、管理サーバ２０から宛先アドレスデータを受信すると、当該宛先アドレスデータを一時記憶部１０９に格納する（ステップＳ８１０）。
【００９２】
次に、携帯端末装置１０のメール作成部１０６は、一時記憶部１０９から画像データ及び宛先アドレスデータを取得する。そして、メール作成部１０６は、送信先アドレスとして宛先アドレスデータにより示されるメールアドレスが設定され、かつ、画像データが添付されたメールを作成する（ステップＳ８１２）。このとき、メール作成部１０６は、送信先アドレスに設定されたメールアドレスが表示画面に表示されないように、メールを作成する。
【００９３】
次に、携帯端末装置１０の表示制御部１０３は、メール作成部１０６により作成されたメールを送信するための画面を表示装置１２に表示させる（ステップＳ８１２）。すなわち、表示制御部１０３は、例えば図１１に示すようなメール送信画面１５００を表示させる。図１１は、メール送信画面の一例を示す図である。図１１に示すメール送信画面１５００は、送信先欄１５０１、添付ファイル欄１５０２、本文欄１５０３、「キャンセル」ボタン１５０４、及び「送信」ボタン１５０５が含まれる。
【００９４】
ここで、図１１に示すメール送信画面１５００では、送信先欄１５０１は「自分」と表示されており、送信先アドレスを示すメールアドレスは表示されない。このため、ユーザＵは、例えば、送信先欄１５０１を編集して送信先アドレスの追加や変更、修正を行うことができない。このため、例えば、ユーザＵが送信先アドレスを誤設定したこと等によるメールの誤送信を防止することができる。したがって、本実施形態に係る携帯端末装置１０では、メールの誤送信により、添付ファイル欄１５０２に設定（添付）された画像データの漏えいを防止することができる。
【００９５】
なお、図１１に示すメール送信画面１５００では、送信先欄１５０１に「自分」との文言を表示させる例を示したが、これに限られない。例えば、メール送信画面１５００に送信先欄１５０１自体を表示させないようにしても良いし、ユーザＵが送信先アドレスを編集できない態様でメールアドレスを送信先欄１５０１に表示させても良い。すなわち、メール送信画面１５００において、送信先アドレスをユーザＵが追加や変更、修正できない態様であれば良い。
【００９６】
次に、ユーザＵは、メール送信画面１５００において、「送信」ボタン１５０５を押下することで、メールの送信操作を行う（ステップＳ８１３）。すると、携帯端末装置１０の入力受付部１０１は、当該送信操作を受け付ける。このとき、ユーザＵは、メール送信画面１５００の本文欄１５０３に所望のメッセージを入力しても良い。
【００９７】
なお、例えば、メール送信画面１５００においてユーザＵにより「キャンセル」ボタン１５０４が押下された場合、携帯端末装置１０は、処理を終了させても良い。
【００９８】
携帯端末装置１０のメール送信部１０７は、入力受付部１０１によりメールの送信操作を受け付けると、メール作成部１０６により作成されたメールを管理サーバ２０に送信する（ステップＳ８１４）。
【００９９】
また、携帯端末装置１０のメール送信部１０７は、メール作成部１０６により作成されたメールの送信が完了すると、当該メールの送信履歴を示す送信履歴データを送信履歴記憶部１１０に格納する（ステップＳ８１５）。なお、送信履歴データは、例えば、メール送信部１０７により送信されたメールの送信日時を示す情報、送信元メールアドレス、及び送信先メールアドレスに加えて、送信されたメールの添付ファイル、メール本文に設定された内容等が含まれても良い。
【０１００】
管理サーバ２０のメール送信部２０３は、携帯端末装置１０からメールを受信すると、当該メールの送信先として設定されたメールアドレスに基づいてメールサーバ３０にメールを送信する（ステップＳ８１６）。これにより、携帯端末装置１０を用いてユーザＵにより撮影された画像データが、自己のメールアドレス宛にメール送信される。
【０１０１】
一方、携帯端末装置１０のデータ削除部１０８は、メールの送信が完了すると、当該メールの宛先アドレスデータ及び画像データを一時記憶部１０９から削除するとともに、当該メールの送信履歴データを送信履歴記憶部１１０から削除する（ステップＳ８１７）。これにより、携帯端末装置１０を用いてユーザＵにより撮影された画像データに加えて、当該画像データの送信先メールアドレス等の情報が当該携帯端末装置１０から削除される。したがって、本実施形態に係る携帯端末装置１０は、例えば、当該携帯端末装置１０が紛失した場合や盗難された場合等であっても、画像データ等の漏えいを防止することができる。
【０１０２】
なお、データ削除部１０８は、画像データ及び送信履歴データを削除すれば、当該メールの宛先アドレスデータは削除しなくても良い。ただし、データ削除部１０８は、画像データ及び送信履歴データとともに当該メールの宛先アドレスを削除することが好ましい。
【０１０３】
なお、本実施形態では、携帯端末装置１０を用いて撮影された画像データをメール送信する場合について説明したが、これに限られず、例えば、携帯端末装置１０を用いて録音された音声データをメール送信する場合についても上記と同様に適用され得る。すなわち、本実施形態に係る画像送信システム１は、携帯端末装置１０により取得した画像データ、動画データ、及び音声データ等を含むコンテンツデータを自己のメールアドレスにメール送信する場合に同様に適用され得る。
【０１０４】
＜第二の実施形態＞
次に、第二の実施形態について説明する。第二の実施形態では、携帯端末装置１０を用いて撮影された画像データを圧縮及び暗号化した上で、メール送信するものである。なお、以降の本実施形態の説明では、第一の実施形態との相違点について主に説明し、第一の実施形態と同様の機能構成を有するものには、第一の実施形態と同様の符号を付与し、その説明を省略する。
【０１０５】
［機能構成］
まず、第二の実施形態に係る画像送信システム１の機能構成について、図１２を参照しながら説明する。図１２は、第二の実施形態に係る画像送信システムの機能構成の一例を示す図である。
【０１０６】
携帯端末装置１０は、メール作成部１０６Ａ、メール送信部１０７Ａ、データ削除部１０８Ａ、及び圧縮暗号化部１１１を有する。
【０１０７】
圧縮暗号化部１１１は、撮影制御部１０４により生成された画像データをデータ圧縮するとともに、暗号化して圧縮暗号化データを生成する。これにより、メール送信部１０７Ａにより送信するメールの容量を削減することができるとともに、例えば、送信中のメールの盗聴等された場合においても画像データの漏えいを防止することができる。また、圧縮暗号化部１１１は、圧縮暗号化データを復号するための復号パスワードデータを生成する。なお、圧縮暗号化部１１１は、圧縮暗号化データ及び復号パスワードデータを一時記憶部１０９に格納する。
【０１０８】
メール作成部１０６Ａは、圧縮暗号化部１１１により生成された圧縮暗号化データが添付され、かつ、宛先アドレスデータにより示されるメールアドレスが送信先アドレスとして設定された第１のメールを作成する。また、メール作成部１０６Ａは、復号パスワードデータにより示される復号パスワードがメール本文に設定され、かつ、宛先アドレスデータにより示されるメールアドレスが送信先アドレスとして設定された第２のメールを作成する。
【０１０９】
メール送信部１０７Ａは、メール作成部１０６Ａにより作成された第１のメール及び第２のメールを管理サーバ２０に送信する。このように、メール送信部１０７Ａは、管理サーバ２０を介して、同一の宛先メールアドレスに対して、第１のメール及び第２のメールをそれぞれ送信する。なお、メール送信部１０７Ａは、第１のメールの送信が完了すると、第１のメールの送信履歴を示す第１の送信履歴データを送信履歴記憶部１１０に格納する。同様に、メール送信部１０７Ａは、第２のメールの送信が完了すると、第２のメールの送信履歴を示す第２の送信履歴データを送信履歴記憶部１１０に格納する。
【０１１０】
データ削除部１０８Ａは、メール送信部１０７Ａにより第１のメール及び第２のメールの送信が完了すると、宛先アドレスデータ、画像データ、圧縮暗号化データ、及び復号パスワードデータを一時記憶部１０９から削除する。また、データ削除部１０８Ａは、同様に、第１の送信履歴データ及び第２の送信履歴データを送信履歴記憶部１１０から削除する。
【０１１１】
［処理の詳細］
以降では、第二の実施形態に係る画像送信システム１の処理の詳細について説明する。ここで、ログイン処理については第一の実施形態と同様であるため説明を省略し、第二の実施形態に係る画像送信処理について、図１３を参照しながら説明する。図１３は、第二の実施形態に係る画像送信処理の一例のシーケンス図である。なお、ステップＳ８０１〜ステップＳ８１０の処理については、図８で説明した第一の実施形態に係る画像送信処理と同様であるため説明を省略する。
【０１１２】
携帯端末装置１０の圧縮暗号化部１１１は、一時記憶部１０９に格納されている画像データをデータ圧縮するとともに、暗号化して圧縮暗号化データを生成する（ステップＳ１３０１）。また、このとき、圧縮暗号化部１１１は、圧縮暗号化データを復号するための復号パスワードデータを生成する。なお、圧縮暗号化部１１１は、例えば、所定の長さの英数字をランダムに並べた文字列を復号パスワードとして、復号パスワードデータを生成すれば良い。
【０１１３】
次に、携帯端末装置１０の圧縮暗号化部１１１は、圧縮暗号化データ及び復号パスワードデータを一時記憶部１０９に格納する（ステップＳ１３０２）。
【０１１４】
次に、携帯端末装置１０のメール作成部１０６Ａは、一時記憶部１０９から圧縮暗号化データ及び宛先アドレスデータを取得する。そして、メール作成部１０６Ａは、送信先アドレスとして宛先アドレスデータにより示されるメールアドレスが設定され、かつ、圧縮暗号化データが添付された第１のメールを作成する（ステップＳ１３０３）。このとき、メール作成部１０６Ａは、第一の実施形態と同様に、送信先アドレスに設定されたメールアドレスが表示画面に表示されないように、第１のメールを作成する。
【０１１５】
次に、携帯端末装置１０の表示制御部１０３は、メール作成部１０６Ａにより作成された第１のメールを送信するためのメール送信画面を表示装置１２に表示させる（ステップＳ１３０４）。ここで、本ステップにおいて表示制御部１０３により表示装置１２に表示されるメール送信画面は、図１１に示すメール送信画面１５００と同様である。ただし、添付ファイル欄１５０２には、圧縮暗号化部１１１により生成された圧縮暗号化データが添付される。
【０１１６】
ユーザＵは、メール送信画面において、第１のメールの送信操作を行う（ステップＳ１３０５）。すると、携帯端末装置１０の入力受付部１０１は、当該送信操作を受け付ける。
【０１１７】
携帯端末装置１０のメール送信部１０７Ａは、入力受付部１０１により第１のメールの送信操作を受け付けると、メール作成部１０６Ａにより作成された第１のメールを管理サーバ２０に送信する（ステップＳ１３０６）。
【０１１８】
また、携帯端末装置１０のメール送信部１０７Ａは、第１のメールの送信が完了すると、当該第１のメールの送信履歴を示す第１の送信履歴データを送信履歴記憶部１１０に格納する（ステップＳ１３０７）。
【０１１９】
管理サーバ２０のメール送信部２０３は、携帯端末装置１０から第１のメールを受信すると、当該第１のメールの送信先として設定されたメールアドレスに基づいてメールサーバ３０に第１のメールを送信する（ステップＳ１３０８）。これにより、ユーザＵにより携帯端末装置１０を用いて撮影された画像データが、圧縮及び暗号化された上で、自己のメールアドレス宛にメール送信される。
【０１２０】
次に、携帯端末装置１０のメール作成部１０６Ａは、一時記憶部１０９から復号パスワードデータを取得する。そして、メール作成部１０６Ａは、送信先アドレスとして宛先アドレスデータにより示されるメールアドレスが設定され、かつ、メール本文に復号パスワードデータにより示される復号パスワードが設定された第２のメールを作成する（ステップＳ１３０９）。
【０１２１】
続いて、携帯端末装置１０のメール送信部１０７Ａは、メール作成部１０６Ａにより第２のメールが作成されると、当該第２のメールを管理サーバ２０に送信する（ステップＳ１３１０）。
【０１２２】
また、携帯端末装置１０のメール送信部１０７Ａは、第２のメールの送信が完了すると、当該第２のメールの送信履歴を示す第２の送信履歴データを送信履歴記憶部１１０に格納する（ステップＳ１３１１）。
【０１２３】
管理サーバ２０のメール送信部２０３は、携帯端末装置１０から第２のメールを受信すると、当該第２のメールの送信先として設定されたメールアドレスに基づいてメールサーバ３０に第２のメールを送信する（ステップＳ１３１２）。これにより、第２のメールに添付された圧縮暗号化データを復号するためのパスワードが、ユーザＵのメールアドレス宛に、第１のメールとは異なる第２のメールでメール送信される。
【０１２４】
一方、携帯端末装置１０のデータ削除部１０８Ａは、第１のメール及び第２のメールの送信が完了すると、宛先アドレスデータ、画像データ、圧縮暗号化データ、及び復号パスワードデータを一時記憶部１０９から削除する。また、データ削除部１０８Ａは、同様に、第１の送信履歴データ及び第２の送信履歴データを送信履歴記憶部１１０から削除する（ステップＳ１３１３）。これにより、携帯端末装置１０に格納されている画像データ、圧縮暗号化データ、復号パスワードデータ、第１の送信履歴データ、及び第２の送信履歴データが削除される。
【０１２５】
以上のように、本実施形態に係る画像送信システム１では、ユーザＵが携帯端末装置１０を用いて撮影した画像データをデータ圧縮及び暗号化した上で、自己のメールアドレス宛に送信する。このため、第一の実施形態と比べてメールの容量を削減することができるとともに、例えば、メールが盗聴等された場合において、画像データの漏えいを防止することができる。なお、本実施形態に係る画像送信システム１では、画像データをデータ圧縮及び暗号化したが、画像データをデータ圧縮又は暗号化のいずれか一方を行うようにしても良い。
【０１２６】
以上、本発明の実施形態について詳述したが、本発明は斯かる特定の実施形態に限定されるものではなく、特許請求の範囲に記載された本発明の要旨の範囲内において、種々の変形・変更が可能である。
【０１２７】
以上の説明に関し、更に以下の項を開示する。
（付記１）
特定モードで取得されたコンテンツデータを記憶する記憶部と、
前記特定モードでコンテンツデータが取得されると、認証時の認証情報に対応付けられた宛先アドレスを取得する取得部と、
前記取得部で取得した前記宛先アドレスの変更ができないように、前記宛先アドレスをメールの送信先に設定するとともに、前記コンテンツデータを添付したメールを作成する作成部と、
前記作成部で作成されたメールを前記宛先アドレスに送信する送信部と、
前記記憶部に記憶されたコンテンツデータ、及び前記送信部により送信されたメールの送信履歴を削除するように制御する制御部と、
を有することを特徴とする携帯端末装置。
（付記２）
前記記憶部に記憶されたコンテンツデータを暗号化する暗号化部を有し、
前記作成部は、
前記暗号化部で暗号化されたコンテンツデータを添付したメールを作成し、
前記送信部は、
前記暗号化されたコンテンツデータを復号するためのパスワードを、前記メールとは異なるメールで前記宛先アドレスに送信する、ことを特徴とする付記１に記載の携帯端末装置。
（付記３）
前記制御部は、前記送信部による前記メール及び前記異なるメールの送信が完了した後、前記記憶部に記憶されたコンテンツデータ、及び前記送信部による送信履歴を削除する、ことを特徴とする付記２に記載の携帯端末装置。
（付記４）
前記制御部は、前記宛先アドレスを削除する、ことを特徴とする付記１乃至３の何れか一項に記載の携帯端末装置。
（付記５）
前記作成部は、
前記取得部で取得した前記宛先アドレスを表示画面に表示させずにメールの送信先に設定するとともに、前記コンテンツデータを添付したメールを作成する、ことを特徴とする付記１乃至４の何れか一項に記載の携帯端末装置。
（付記６）
情報処理装置に、
特定モードで取得されたコンテンツデータを記憶部に記憶させ、
前記特定モードでコンテンツデータが取得されると、認証時の認証情報に対応付けられた宛先アドレスを取得し、
取得した前記宛先アドレスの変更ができないように、前記宛先アドレスをメールの送信先に設定するとともに、前記コンテンツデータを添付したメールを作成し、
作成されたメールを前記宛先アドレスに送信し、
前記記憶されたコンテンツデータ、及び前記送信されたメールの送信履歴を削除するように制御する、
処理を実行させることを特徴とする制御プログラム。
（付記７）
前記情報処理装置に、
前記記憶部に記憶されたコンテンツデータを暗号化する処理を実行させ、
前記作成する処理は、
前記暗号化する処理で暗号化されたコンテンツデータを添付したメールを作成し、
前記送信する処理は、
前記暗号化する処理で暗号化されたコンテンツデータを復号するためのパスワードを、前記メールとは異なるメールで前記宛先アドレスに送信する、ことを特徴とする付記６に記載の制御プログラム。
（付記８）
前記制御する処理は、前記メール及び前記異なるメールの送信が完了した後、前記記憶部に記憶されたコンテンツデータ、及び送信履歴を削除する、ことを特徴とする付記７に記載の制御プログラム。
（付記９）
前記制御する処理は、前記宛先アドレスを削除する、ことを特徴とする付記６乃至８の何れか一項に記載の制御プログラム。
（付記１０）
前記作成する処理は、
前記宛先アドレスを表示画面に表示させずにメールの送信先に設定するとともに、前記コンテンツデータを添付したメールを作成する、ことを特徴とする付記６乃至９の何れか一項に記載の制御プログラム。
（付記１１）
情報処理装置が、
特定モードで取得されたコンテンツデータを記憶部に記憶させ、
前記特定モードでコンテンツデータが取得されると、認証時の認証情報に対応付けられた宛先アドレスを取得し、
取得した前記宛先アドレスの変更ができないように、前記宛先アドレスをメールの送信先に設定するとともに、前記コンテンツデータを添付したメールを作成し、
作成されたメールを前記宛先アドレスに送信し、
前記記憶されたコンテンツデータ、及び前記送信されたメールの送信履歴を削除するように制御する、
処理を実行することを特徴とする制御方法。
（付記１２）
前記情報処理装置が、
前記記憶部に記憶されたコンテンツデータを暗号化する処理を実行し、
前記作成する処理は、
前記暗号化する処理で暗号化されたコンテンツデータを添付したメールを作成し、
前記送信する処理は、
前記暗号化する処理で暗号化されたコンテンツデータを復号するためのパスワードを、前記メールとは異なるメールで前記宛先アドレスに送信する、ことを特徴とする付記１１に記載の制御方法。
（付記１３）
前記制御する処理は、前記メール及び前記異なるメールの送信が完了した後、前記記憶部に記憶されたコンテンツデータ、及び送信履歴を削除する、ことを特徴とする付記１２に記載の制御方法。
（付記１４）
前記制御する処理は、前記宛先アドレスを削除する、ことを特徴とする付記１１乃至１３の何れか一項に記載の制御方法。
（付記１５）
前記作成する処理は、
前記宛先アドレスを表示画面に表示させずにメールの送信先に設定するとともに、前記コンテンツデータを添付したメールを作成する、ことを特徴とする付記１１乃至１４の何れか一項に記載の制御方法。
【符号の説明】
【０１２８】
１        画像送信システム
１０      携帯端末装置
２０      管理サーバ
３０      メールサーバ
４０      サーバプログラム
５０      画像送信プログラム
１０１    入力受付部
１０２    ログイン要求部
１０３    表示制御部
１０４    撮影制御部
１０５    アドレス取得部
１０６    メール作成部
１０７    メール送信部
１０８    データ削除部
１０９    一時記憶部
１１０    送信履歴記憶部
２０１    ログイン認証部
２０２    変換部
２０３    メール送信部
【図１】
0006540403.tif 000002
【図２】
0006540403.tif 000003
【図３】
0006540403.tif 000004
【図４】
0006540403.tif 000005
【図５】
0006540403.tif 000006
【図６】
0006540403.tif 000007
【図７】
0006540403.tif 000008
【図８】
0006540403.tif 000009
【図９】
0006540403.tif 000010
【図１０】
0006540403.tif 000011
【図１１】
0006540403.tif 000012
【図１２】
0006540403.tif 000013
【図１３】
0006540403.tif 000014